(57)【要約】【課題】紛失した携帯電話機がユーザの居る場所に近い場合、マナーモードを解除して着信報知することにより、発見を容易にする携帯電話機を提供することにある。【解決手段】所定の電話番号から呼び出しがあると（Ｓ２００：ＹＥＳ、Ｓ２０１：ＹＥＳ）、その電話番号からの呼び出し回数が５回か確認する。呼び出し回数が５回に満たず（Ｓ２０２：ＮＯ）、かつ、呼び出し時間が５秒以下なら（Ｓ２０３：ＹＥＳ）、呼び出し回数を１だけ増加させて（Ｓ２０４）、記憶する（Ｓ２０５）。呼び出し回数が５回であり（Ｓ２０２：ＹＥＳ）、かつ、呼び出し時間が２５秒以上で離間距離が所定値以下であればな（Ｓ２０７：ＹＥＳ）、動作モードを保護モードに変更して（Ｓ２０８）、ＬＥＤを点滅させたり、呼び出し音を鳴らす等の報知処理を実行する（Ｓ２０９）。【選択図】図５
2005057711.tif 000002
【特許請求の範囲】
【請求項１】
相手通信装置から呼び出された場合、リンガーで呼出音を発生させることにより着信を報知する通常モード又は前記リンガーで呼出音を発生させることなく他の報知手段により着信を報知するマナーモードのいずれかに設定可能な移動通信装置において、
前記移動通信装置の現在位置を検出する位置検出手段と、
前記現在位置と比較位置との離間距離を算出する距離算出手段と、
前記離間距離に基づいて着信報知を制御する制御手段とを具備し、
前記制御手段は、前記マナーモードに設定されている状態でマナーモードを解除させる着信を検出した場合、前記離間距離が所定距離より大きいとき、前記リンガーによる呼出音を発生させない一方、前記離間距離が所定距離より小さいとき、前記リンガーによる呼出音を発生させること、
を特徴とする移動通信装置。
【請求項２】
請求項１に記載の移動通信装置において、
入力された前記比較位置の情報を記憶する比較位置情報記憶手段、
を具備することを特徴とする移動通信装置。
【請求項３】
請求項２に記載の移動通信装置において、
前記比較位置情報記憶手段が記憶する前記比較位置の情報を入力する操作キー、
を具備することを特徴とする移動通信装置。
【請求項４】
請求項２に記載の移動通信装置において、
前記比較位置情報記憶手段が記憶する前記比較位置の情報を受信する比較位置情報受信手段、
を具備することを特徴とする移動通信装置。
【請求項５】
少なくとも基地局と、相手通信装置から呼び出された場合、リンガーで呼出音を発生させることにより着信を報知する通常モード又は前記リンガーで呼出音を発生させることなく他の報知手段により着信を報知するマナーモードのいずれかに設定可能な移動通信装置からなる移動通信システムにおいて、
前記移動通信装置の現在位置を検出する位置検出手段と、
前記現在位置と比較位置との離間距離を算出する距離算出手段と、
前記離間距離に基づいて着信報知を制御する制御手段とを具備し、
前記制御手段は、前記マナーモードに設定されている状態でマナーモードを解除させる着信を検出した場合、前記離間距離が所定距離より大きいとき、前記リンガーによる呼出音を発生させない一方、前記離間距離が所定距離より小さいとき、前記リンガーによる呼出音を発生させること、
を特徴とする移動通信システム。
【請求項６】
請求項５に記載の移動通信システムにおいて、
入力された前記比較位置の情報を記憶する比較位置情報記憶手段、
を具備することを特徴とする移動通信システム。
【請求項７】
請求項６に記載の移動通信システムにおいて、
前記比較位置情報記憶手段が記憶する前記比較位置の情報を入力する操作キー、
を具備することを特徴とする移動通信システム。
【請求項８】
請求項６に記載の移動通信システムにおいて、
前記比較位置情報記憶手段が記憶する前記比較位置の情報を受信する比較位置情報受信手段、
を具備することを特徴とする移動通信システム。
【請求項９】
相手通信装置から呼び出された場合、リンガーで呼出音を発生させることにより着信を報知する通常モード又は前記リンガーで呼出音を発生させることなく他の報知手段により着信を報知するマナーモードのいずれかに設定可能な移動通信装置の着信呼出方法において、
前記移動通信装置の現在位置を検出する位置検出ステップと、
前記現在位置と比較位置との離間距離を算出する距離算出ステップと、
前記離間距離に基づいて着信報知を制御する制御ステップとを含み、
前記制御ステップは、前記マナーモードに設定されている状態でマナーモードを解除させる着信を検出した場合、前記離間距離が所定距離より大きいとき、前記リンガーによる呼出音を発生させない一方、前記離間距離が所定距離より小さいとき、前記リンガーによる呼出音を発生させること、
を特徴とする着信呼出方法。
【請求項１０】
請求項９に記載の着信呼出方法において、
入力された前記比較位置の情報を記憶する比較位置情報記憶ステップ、
を含むことを特徴とする着信呼出方法。
【請求項１１】
請求項１０に記載の着信呼出方法において、
前記比較位置情報記憶ステップで記憶する前記比較位置の情報を操作キーで入力する入力ステップ、
を含むことを特徴とする着信呼出方法。
【請求項１２】
請求項１０に記載の着信呼出方法において、
前記比較位置情報記憶ステップで記憶する前記比較位置の情報を受信する比較位置情報受信ステップ、
を含むことを特徴とする着信呼出方法。
【請求項１３】
移動通信装置に着信呼出処理手順を実行させるプログラムであって、
前記移動通信装置は、相手通信装置から呼び出された場合、リンガーで呼出音を発生させることにより着信を報知する通常モード又は前記リンガーで呼出音を発生させることなく他の報知手段により着信を報知するマナーモードのいずれかに設定可能であり、
前記着信呼出処理手順は、
前記移動通信装置の現在位置を検出する位置検出手順と、
前記現在位置と比較位置との離間距離を算出する距離算出手順と、
前記離間距離に基づいて着信報知を制御する制御手順とを含み、
前記制御手順は、前記マナーモードに設定されている状態でマナーモードを解除させる着信を検出した場合、前記離間距離が所定距離より大きいとき、前記リンガーによる呼出音を発生させない一方、前記離間距離が所定距離より小さいとき、前記リンガーによる呼出音を発生させること、
を特徴とするプログラム。
【請求項１４】
請求項１３に記載のプログラムにおいて、
入力された前記比較位置の情報を記憶する比較位置情報記憶手順、
を含むことを特徴とするプログラム。
【請求項１５】
請求項１４に記載のプログラムにおいて、
前記比較位置情報記憶ステップで記憶する前記比較位置の情報を操作キーで入力する入力手順、
を含むことを特徴とするプログラム。
【請求項１６】
請求項１４に記載のプログラムにおいて、
前記比較位置情報記憶ステップで記憶する前記比較位置の情報を受信する比較位置情報受信手順、
を含むことを特徴とするプログラム。
【発明の詳細な説明】
【技術分野】
【０００１】
本発明は、携帯電話機やＰＤＡなどの移動通信装置に関し、更に詳しくは、紛失した移動通信装置を発見し易くするための技術に関する。
【背景技術】
【０００２】
近年、携帯電話機が広く普及し、いまやあらゆる場所で携帯電話機が使用されるに至っている。その結果、元来携帯電話機が使用されるべきではない場所（例えば、病院や公共交通機関、劇場、図書館といった場所）にまで携帯電話機が持ち込まれて、医療器具の誤動作を招いたり、観劇の妨げとなったりと、様々な不都合を来たすようになってきた。特に、それらの場所では、着信を報知するリンガーの鳴動により、突然に静寂が破られるので、周りの人への影響は大きく顰蹙をかうものである。
【０００３】
しかしながら、喩えそのような不都合があったとしても、携帯電話機の普及の度合いは著しく、また、その利便性を考慮すれば、かかる場所への携帯電話機の持ち込みを今更ながら禁止することもできない。
【０００４】
そこで、携帯電話機の使用が相応しくない場所においては、少しでも他人への迷惑にならないようにと、既に周知のマナーモード機能が導入されている。このマナーモードに携帯電話機を設定すれば、携帯電話機に着信があっても着信音が鳴らないので、少なくとも上記のような静寂を突然に破るという不都合を生じない。
【０００５】
ところで、携帯電話機に利便性をもたらせている最大要因のひとつは、その名の通り携帯性に有る。この携帯性は携帯電話機の間でも大きなセールスポイントとなっており、メーカ間では小型軽量化にしのぎを削っている。
【０００６】
その一方、小型軽量化された携帯電話機は確かに持ち運びには便利であるが、一旦、携帯電話機を紛失してしまうとその小ささ故に探し出すことが大変で、これには誰もが閉口してしまう。特に、携帯電話機がマナーモードに設定されているようなときには、その携帯電話機呼び出しても着信音を発生させないので、その発見は困難を極める。
【０００７】
この問題に対して、従来技術では、マナーモードに設定されたまま紛失した携帯電話機に電話をかけることによってマナーモードを解除して、携帯電話機を鳴動、発光させ、携帯電話機の発見を助けるという解決策が提案されている。
【０００８】
この場合においては、ただ単に電話がかかってくるだけでマナーモードを解除するとしてしまうと、マナーモード本来の機能が損なわれてしまうので、所定のコール回数の呼び出しが連続して所定回数だけ検出された場合に、マナーモードを解除するとしている。なお、詳細については、特許文献１を参照。
【特許文献１】特開２００２―１２５００９号公報
【発明の開示】
【発明が解決しようとする課題】
【０００９】
従来技術では、例えば、コール回数が１０回の呼び出しが１回検出された場合にマナーモードを解除すると設定すると、本来マナーモードに設定されていなければならないような場所で、たまたまそのような呼び出しが行われ、マナーモードが解除されてしまい、顰蹙を買ってしまうおそれがある。
【００１０】
また、上述したような事態をおそれて、コール回数１００回の呼び出しが１００回検出された場合にマナーモードを解除すると設定すると、携帯電話機を紛失して本当にマナーモードを解除したいような場合に、多大の手間を生じる結果となる。
【００１１】
そこで、本願出願人は、マナーモードが解除されるべきでない場合においては、より解除され難く、マナーモードを解除したい場合においては、より解除し易い携帯電話機、マナーモード解除方法、および、マナーモード解除プログラムを提供することを目的とする特願２００３−２７１５５１を既に出願している。
【００１２】
しかしながら、当該出願においては、携帯電話機の位置に無関係にマナーモードが解除されてしまう。例えば、携帯電話機を紛失した場所が遠く離れた飲食店であると仮定し、ユーザが自宅でマナーモードの解除操作をして携帯電話機を呼び出したとしても、その音は聞こえる筈もなく、発見することはできない。その一方、飲食店では大音響で呼び出すので、客への迷惑になるだけではなく、それを発見した悪意の客が持ち去るという可能性もあり、危険極まりないのである。
【課題を解決するための手段】
【００１３】
請求項１に係る本発明の移動通信装置は、上記の目的を達成するために、相手通信装置から呼び出された場合、リンガーで呼出音を発生させることにより着信を報知する通常モード又は前記リンガーで呼出音を発生させることなく他の報知手段により着信を報知するマナーモードのいずれかに設定可能な移動通信装置において、前記移動通信装置の現在位置を検出する位置検出手段と、前記現在位置と比較位置との離間距離を算出する距離算出手段と、前記離間距離に基づいて着信報知を制御する制御手段とを具備し、前記制御手段は、前記マナーモードに設定されている状態で着信を検出した場合、前記離間距離が所定距離より大きいとき、前記リンガーによる呼出音を発生させない一方、前記離間距離が所定距離より小さいとき、前記リンガーによる呼出音を発生させることを特徴とする。
【００１４】
請求項２に係る本発明の移動通信装置は、請求項１に記載の移動通信装置において、入力された前記比較位置の情報を記憶する比較位置情報記憶手段を具備することを特徴とする。
【００１５】
請求項３に係る本発明の移動通信装置は、請求項２に記載の移動通信装置において、前記比較位置情報記憶手段が記憶する前記比較位置の情報を入力する操作キーを具備することを特徴とする。
【００１６】
請求項４に係る本発明の移動通信装置は、請求項２に記載の移動通信装置において、前記比較位置情報記憶手段が記憶する前記比較位置の情報を受信する比較位置情報受信手段を具備することを特徴とする。
【００１７】
請求項５に係る本発明の移動通信システムは、少なくとも基地局と、相手通信装置から呼び出された場合、リンガーで呼出音を発生させることにより着信を報知する通常モード又は前記リンガーで呼出音を発生させることなく他の報知手段により着信を報知するマナーモードのいずれかに設定可能な移動通信装置からなる移動通信システムにおいて、前記移動通信装置の現在位置を検出する位置検出手段と、前記現在位置と比較位置との離間距離を算出する距離算出手段と、前記離間距離に基づいて着信報知を制御する制御手段とを具備し、前記制御手段は、前記マナーモードに設定されている状態で着信を検出した場合、前記離間距離が所定距離より大きいとき、前記リンガーによる呼出音を発生させない一方、前記離間距離が所定距離より小さいとき、前記リンガーによる呼出音を発生させることを特徴とする。
【００１８】
請求項６に係る本発明の移動通信システムは、請求項５に記載の移動通信システムにおいて、入力された前記比較位置の情報を記憶する比較位置情報記憶手段を具備することを特徴とする。
【００１９】
請求項７に係る本発明の移動通信システムは、請求項６に記載の移動通信システムにおいて、前記比較位置情報記憶手段が記憶する前記比較位置の情報を入力する操作キーを具備することを特徴とする。
【００２０】
請求項８に係る本発明の移動通信システムは、請求項６に記載の移動通信システムにおいて、前記比較位置情報記憶手段が記憶する前記比較位置の情報を受信する比較位置情報受信手段を具備することを特徴とする。
【００２１】
請求項９に係る本発明の着信呼出方法は、相手通信装置から呼び出された場合、リンガーで呼出音を発生させることにより着信を報知する通常モード又は前記リンガーで呼出音を発生させることなく他の報知手段により着信を報知するマナーモードのいずれかに設定可能な移動通信装置の着信呼出方法において、前記移動通信装置の現在位置を検出する位置検出ステップと、前記現在位置と比較位置との離間距離を算出する距離算出ステップと、前記離間距離に基づいて着信報知を制御する制御ステップとを含み、前記制御ステップは、前記マナーモードに設定されている状態で着信を検出した場合、前記離間距離が所定距離より大きいとき、前記リンガーによる呼出音を発生させない一方、前記離間距離が所定距離より小さいとき、前記リンガーによる呼出音を発生させることを特徴とする。
【００２２】
請求項１０に係る本発明の着信呼出方法は、請求項９に記載の着信呼出方法において、入力された前記比較位置の情報を記憶する比較位置情報記憶ステップを含むことを特徴とする。
【００２３】
請求項１１に係る本発明の着信呼出方法は、請求項１０に記載の着信呼出方法において、前記比較位置情報記憶ステップで記憶する前記比較位置の情報を操作キーで入力する入力ステップを含むことを特徴とする。
【００２４】
請求項１２に係る本発明の着信呼出方法は、請求項１０に記載の着信呼出方法において、前記比較位置情報記憶ステップで記憶する前記比較位置の情報を受信する比較位置情報受信ステップを含むことを特徴とする。
【００２５】
請求項１３に係る本発明のプログラムは、移動通信装置に着信呼出処理手順を実行させるプログラムであって、前記移動通信装置は、相手通信装置から呼び出された場合、リンガーで呼出音を発生させることにより着信を報知する通常モード又は前記リンガーで呼出音を発生させることなく他の報知手段により着信を報知するマナーモードのいずれかに設定可能であり、前記着信呼出処理手順は、前記移動通信装置の現在位置を検出する位置検出手順と、前記現在位置と比較位置との離間距離を算出する距離算出手順と、前記離間距離に基づいて着信報知を制御する制御手順とを含み、前記制御手順は、前記マナーモードに設定されている状態で着信を検出した場合、前記離間距離が所定距離より大きいとき、前記リンガーによる呼出音を発生させない一方、前記離間距離が所定距離より小さいとき、前記リンガーによる呼出音を発生させることを特徴とする。
【００２６】
請求項１４に係る本発明のプログラムは、請求項１３に記載のプログラムにおいて、入力された前記比較位置の情報を記憶する比較位置情報記憶手順を含むことを特徴とする。
【００２７】
請求項１５に係る本発明のプログラムは、請求項１４に記載のプログラムにおいて、
前記比較位置情報記憶ステップで記憶する前記比較位置の情報を操作キーで入力する入力手順を含むことを特徴とする。
【００２８】
請求項１６に係る本発明のプログラムは、請求項１４に記載のプログラムにおいて、前記比較位置情報記憶ステップで記憶する前記比較位置の情報を受信する比較位置情報受信手順を含むことを特徴とする。
【発明の効果】
【００２９】
本発明の解決しようとする問題点は、移動通信装置、移動通信システム、着信呼出方法及びプログラムにおいて、携帯電話機の現在位置と例えばユーザが居る場所（他の携帯電話機の場所）や登録されている場所（共に比較位置）との距離（離間距離）に従って、マナーモードを解除して着信報知するか否かを区別することである。
【発明を実施するための最良の形態】
【００３０】
以下、本発明の実施例を携帯電話機を取り上げて図面と共に詳細に説明する。なお、移動通信装置としては、モバイル・パーソナル・コンピュータやＰＤＡ（パーソナル  デジタル  アシスタンス）などが含まれる。
【００３１】
［１］  携帯電話機の構成
図１は、本発明に係る携帯電話機（この場合、開閉式通信端末装置）の開いた状態の外観図であり、図１（Ａ）が正面図、図１（Ｂ）が右側面図および図１（Ｃ）が裏面図である。
【００３２】
１は、開閉式通信端末装置本体であり、一般的に通話および通話に関連する操作や電子メール操作を行う場合は開いた状態とする一方、待ち受けの場合は閉じた状態とする。但し、開閉式通信端末装置１は、閉じた状態でメモリダイヤルの中から所望の発呼先を選択した後、装置本体を開状態にすることにより、当該発呼先に対応する電話番号へ自動的にダイヤルするようになっている。
【００３３】
２は、メインディスプレイであり、カラー液晶表示装置、ＤＭＤ（デジタル・ミラー・デバイス）や有機ＥＬ表示装置、ＰＤＰ（プラズマ・ディスプレイ・パネル）などから構成され、通知すべき情報、文字情報や現在時刻情報、画像情報などの各種詳細情報を表示する。なお、開閉式通信端末装置１が閉じられた状態では、ユーザはメインディスプレイ２の表示内容を確認できないので、バックライトの消灯または電源ＯＦＦされて節電に寄与する。
【００３４】
３は、フレキシブルキーであり、他のキーやボタンと組み合せて各種機能を設定するときに使用する。例えば、メインディスプレイ２の下部に表示される項目ボタンを選択するキーとなったり、待ち受け中において左ボタンはファンクションキー（以下、「Ｆキー」と省略する。）および右ボタンは文字キーの機能が付与される。特に、左側のフレキシブルキー３がタイマー撮影ボタンに割り当てられている。
【００３５】
４は、４接点キーであり、上下左右方向にカーソルを移動させたり、表示内容をその方向に順番にスクロールさせる。また、音量の設定やメモリダイヤルの呼び出し、リダイヤルや漢字変換などに使用される。
【００３６】
５は、Ｅメールキーであり、扱える文字数が少ないスカイメールや、逆に扱える文字数が多く且つ添付ファイルも利用できるロングメールなどの電子メール機能を使用するときに操作される。また、文字を消去したり、前の表示に戻るときに使用する（即ち、クリアキー）。
【００３７】
６は、ＯＫキーであり、選択されている項目を決定または確定するときに操作される。特に、ＯＫキー６はシャッターボタンに割り当てられている。
【００３８】
７は、終了／電源キーであり、電源をＯＮ／ＯＦＦしたり、通話の終了や着信時に応答保留する際に使用する。
【００３９】
８は、テンキーであり、電話番号や文字を入力する。特に、＊キーはカメラ撮影モードへ移行させる為の撮影準備キーに割り当てられている。
【００４０】
９は、マイクであり、通話中に音声を送信する。
【００４１】
１０は、イヤホン端子であり、イヤホンマイクを接続する。
【００４２】
１１は、ＷＥＢキーであり、インターネット接続機能の表示画面に移行する際に使用する。さらに、電子メール機能の表示画面に移行する際や、ウェブやステーションを利用するときに使用したり、メニューを表示して選択するときに使用される。
【００４３】
１２は、後述するカメラ装置で撮影するときに使用するシャッターボタンとしてのサイドキーであり、カメラが閉じた状態において、サイドキー１２を所定時間（例えば、３秒）以上完全に押した状態にすると、撮影準備指示を与えてカメラ撮影モードに移行する。このカメラ撮影モードにおいて、サイドキー１２を押した場合に撮影開始指示を与える（但し、開いた状態では、テンキー８に含まれる＊キーが撮影準備キーに、左フレキシブルキー３がタイマー撮影ボタンに、ＯＫキー６がシャッターボタンに割り当てられる）。また、カメラ撮影モードにおいて、所定時間（例えば、３秒）以上アップキー１２ａを完全に押した状態にすると、サブディスプレイ１８に最新の画像データを読み出して表示する。さらに続けてサイドキー１２の下部に設けられたダウンキー１２ｂが操作されると時系列的に次に古い他の画像データを読み出して表示する一方、上部に設けられたアップキー１２ａが操作されると時系列的に次に新しい他の画像データを読み出して表示するようになっており、最終画像データが表示されると先頭に戻って表示する（即ち、ラップアラウンド表示機能）。
【００４４】
なお、メインディスプレイ２又はサブディスプレイ１８に画像データを読み出して表示している場合に、アップキー１２ａを所定時間（例えば、３秒）以上完全に押した状態にすると、表示中の画像データは拡大される一方、ダウンキー１２ｂを所定時間（例えば、３秒）以上完全に押した状態にすると、表示中の画像データは縮小表示される（即ち、ズームアップ及びズームダウン機能）。そして、サイドキー１２は、簡易留守録を設定／解除したり、通話中に相手の声を録音したり、録音した内容を再生するときにも使用される（即ち、メモボタン）。
【００４５】
１３は、外部接続端子であり、急速充電器やシガーライター充電器、モバイルツールなどを接続する。
【００４６】
１４は、開始キーであり、電話をかけたり受けたりする際に使用する。
【００４７】
１５は、アンテナであり、通信に必要な電波を受信および送信する伸縮可能な外部アンテナ１５ａである。なお、図示されてはいないが、アンテナ１５としては、自己の位置情報を得るために複数の衛星（通常は、３つ以上の衛星）からの電波を受信するＧＰＳアンテナ１５ｂが内蔵されている。
【００４８】
１６は、レシーバ（受話器）であり、相手の声や各種メッセージ音などが再生される。
【００４９】
１７は、着信音や着信メロディを放音するための放音孔であり、その下部には着信報知スピーカが内蔵されている。
【００５０】
１８は、サブディスプレイであり、カラー液晶表示装置、有機ＥＬ表示装置やＤＭＤ（デジタル・ミラー・デバイス）などの各種カラー表示装置で構成され、本体を閉じている場合に、待受時や着信時などの簡易情報を表示する。特に、サブディスプレイ１８は、通常設けられている着信ランプや撮影ランプも兼ねており、着信があると呼び出した相手に応じた色で点滅して通知する。また、撮影時のシャッター開閉動作と連動して発光したり、充電中に赤色に点灯するようになっている。
【００５１】
さらに、サブディスプレイ１８は、後述するカメラ装置で撮影した画像データを表示することが可能であり、サブディスプレイ１８に鏡と同じ機能を付与するため、表示するタイミングに応じて、当該画像データは左右反転したミラー画像で表示されるようになっている。なお、開閉式通信端末装置１が開かれた状態では、メインディスプレイ２に詳細内容が表示されるので、サブディスプレイ１８（バックライトを含む全ての回路素子）への電源供給が断されて消灯し、節電に寄与する。また、サブディスプレイ１８が消灯している際、サイドキー１２を操作すると、サブディスプレイ１８のバックライトは点灯し所定時間経過後に再び消灯する。
【００５２】
１９は、開閉検出スイッチであり、開閉式通信端末装置１が閉じた状態にあるか、完全に開いた状態にあるかまたは半開きの状態にあるかを機械的に検出するマイクロスイッチである。ただし、開閉式通信端末装置１が開いたことを検出する光センサーや開き角度を検出するエンコーダなど周知の手段を用いることができる。なお、開閉式通信端末装置１が閉じた状態か否かだけを検出するマイクロスイッチなどであってもよい。
【００５３】
３０は、充電可能で着脱自在の電池パックであり、開閉式通信端末装置１の各種電子回路に必要な電力を供給する。
【００５４】
３１は、内臓のカメラ装置であり、レンズを通して入力された人物や風景などの光がＣＣＤやＣ−ＭＯＳ人工網膜ＩＣなどによって撮影され、画像データとして出力される。なお、ユーザが記憶操作をした場合、この画像データに識別番号が付与されて画像記憶部（例えば、後述するＲＡＭなど）に順次記憶される。
【００５５】
３２は、着信ＬＥＤであり、着信呼出の際には緑色で、画像データをメインディスプレイ２またはサブディスプレイ１８に表示する際にはオレンジ色で、充電中には赤色で発光するようになっている。また、タイマー撮影時には、残り時間に応じて、オレンジ色で点滅する速度が徐々に速くなる。これにより、被写体の人物は、撮影開始が近づいているのを知ることが可能となる。
【００５６】
図２は、本発明に係る携帯電話機（開閉式通信端末装置）の構成を示すブロック図であり、例えば、ＩＳ−９５(Interim Standard 95)ベースのＣＤＭＡ(Code Division Multiple Access)方式携帯電話の移動端末装置に適用した場合を示している。なお、図１と重複する構成については同一符号を付し、その説明を省略する。但し、通信方式に関してはＣＤＭＡ方式に限定されるものではなく、ＰＤＣ(Personal Digital Cellular)やＰＨＳ(Personal Handyphone System)、ヨーロッパで広く普及しているＧＳＭ方式など、いずれでもよい。
【００５７】
図２から明らかなように、開閉式通信端末装置１は、アンテナ１５（外部アンテナ１５ａ及びＧＰＳアンテナ１５ｂを含む）、ＧＰＳ受信部２７、送受信部２１、変復調部（即ち、ベースバンド処理部などを含む）２２、音声処理部２４、マイク９、レシーバ１６、制御部２０、メイン表示部２、サブ表示部１８、カメラ部２５、カメラＩ／Ｆ２６および操作部２３を具備する構成となっている。
【００５８】
制御部２０は、開閉式通信端末装置１の全体を制御するものであり、例えばマイクロプロセッサとＲＯＭ(Read Only Memory)２０ａおよびＲＡＭ(Random Access Memory)２０ｂなどからなり、ＲＯＭ２０ａに格納されている制御プログラムにしたがって各種の制御を行う。また、ＲＡＭ２０ｂには、送信する情報や受信した情報および電話帳データ（例えば、メモリダイヤル９９９件分のデータ）などが一時的にまたは消去／変更操作が行われるまで格納されるようになっている。
【００５９】
ＧＰＳ受信部２７は、３個以上のＧＰＳ衛星（図示せず）からの電波を受信し、開閉式通信端末装置１の現在位置を計算する。
【００６０】
なお、ＧＰＳ衛星からの電波により位置を決定する方法に関しては、文献１：「ザ  ジーピーエス  ナビゲーション  メッセージ、ナビゲーション第２５巻，第２号，第１４７〜１６５頁（The GPS Navigation Message, Navigation Vol.25, No.2）；１９７８年」及び文献２：「ア  ポジション  フイキシング  アルゴリズム  フオー  ザ  ローコスト  ジーピーエス  レシーバ、アイイーイーイー  トランザクションズ  オン  エーイーエス（A Position Fixing Algorithm for the Low Cost GPS Receiver, IEEE Trans. on AES）；１９７６年３月」に述べられている。
【００６１】
また、ＧＰＳを用いて位置検出を行う携帯端末の従来技術としては、特開平９−２４７７３０、特開平１０−１０３９９２、特開平１０−２５７５５５、特開平１１−２７７３６および特開平１１−２７７２９などがある。更に、基地局を利用して位置測定する従来技術としては、特開平４−２２９７２９、特開平７−３８９５１、特開平８−１９１２６６、特開平９−１５９７４６および特開平９−１６１１７７などがあり、これらの技術をそのまま利用できることは言うまでもない。
【００６２】
メイン表示部２およびサブ表示部１８は、それぞれメインディスプレイ２およびサブディスプレイ１８に対応している。
【００６３】
操作部２３は、フレキシブルキー３、４接点キー４、Ｅメールキー５、ＯＫキー６、終了／電源キー７、テンキー８、ＷＥＢキー１１、サイドキー１２、開始キー１４および開閉検出スイッチ１９で構成される。
【００６４】
上記構成の開閉式通信端末装置１において、受信電波はアンテナ１５を経て送受信部２１で受信され、変復調部２２で復調される。この変復調部２２で復調された音声情報は音声処理部２４へ供給され、制御部２０の制御のもとに、音声処理部２４で所定の処理が行われた後、スピーカ１６で電気−音響変換されて音声となって出力される。
【００６５】
また、変復調部２２で復調された受信データは制御部２０へ供給される。この受信データは制御データ、文字データ等（例えば、相手電話番号）および画像データなどからなり、必要に応じてメイン表示部２やサブ表示部１８に供給されて文字情報や画像情報として表示されたり、ＲＡＭ１９ａに格納される。この受信データの制御データには、音声通信の着信情報（呼び出し側の電話番号を含む）や、ＳＭＳベアラー（ショート・メッセージ・ベアラー）という方式によって送信されてくる電子メールおよび文字メッセージの着信情報などのデータも含まれている。
【００６６】
一方、入力された音声は、マイク９で音響−電気変換され、音声処理部２４で所定の処理が施された後、変復調部２２に供給される。また、操作部２３からの入力情報は、制御部２０を経由して必要に応じてＲＡＭ２０ｂに格納されるとともに、送信データとして変復調部２２に供給される。変復調部２２は、供給される音声信号や送信データを変調した後、送受信部２１を経てアンテナ１５から送信される。
【００６７】
カメラ部２５は、カメラＩ／Ｆ２６を介して制御部２０に接続されており、操作者が操作部２３を操作してカメラ撮影に関する各種コマンドを入力すると、制御部２０はカメラＩ／Ｆ２６に指示を出す。カメラＩ／Ｆ２６は撮影指示を受けると、カメラ部２５に対して各種制御コマンド出力し、カメラ部２５から得た画像データをＲＡＭ２０ｂに格納する。但し、ＲＡＭ２０ｂは一般に容量が小さいので、画像データを専用に記憶する大容量ＲＡＭ（例えば、画像記憶部２５ａ）を別途設けてもよい。当然ながら、ＲＡＭ２０ｂに格納された画像データは、変復調部２２によって変調された後、送受信部２１を経てアンテナ１５から送信することが可能である。なお、ＲＡＭ２０ｂなどが記憶する電話帳データ中の相手番号と画像データ（例えば、相手の顔写真）とが対応付けて記憶されている。
【００６８】
図３は、本発明の携帯電話機（移動通信装置）の機能構成を示すブロック図であって、特に、マナーモードの設定と解除とに関連する部分に注目したものである。なお、図の番号は改めて振りなおした。
【００６９】
図３に示されるように、携帯電話機１は、表示部１００、操作パネル部１０１、電話番号／位置情報記憶部１０２、モード記憶部１０３、スピーカ部１０４、ＬＥＤ点灯部１０５、バイブレータ部１０６、発呼番号特定部１０７、呼び出し時間計時部１０８、呼び出し回数記憶部１０９、モード制御部１１０および現在位置記憶部１１１を備えている。
【００７０】
表示部１００は、液晶表示パネルを備えている。表示部１００は、携帯電話機1のユー
ザに対して、様々な情報の表示を行う機能ブロックである。表示部１００は、後述する操作パネル部１０１からの指示に応じて様々な表示を実行する。
【００７１】
操作パネル部１０１は、キーパッドを備えている。操作パネル部１０１は、携帯電話機１のユーザによるキー入力を受け付ける機能ブロックである。操作パネル部１０１は、携帯電話機１のユーザによるキー入力に応じて、前記表示部１００や後述する電話番号／位置情報記憶部１０２、モード記憶部１０９、および、モード制御部１１０に指示を行う。
【００７２】
電話番号／位置情報記憶部１０２は、マナーモードを解除するための指示を送るための発呼番号及び位置情報（即ち、請求項で言う比較位置）を記憶するための機能ブロックである。電話番号／位置情報記憶部１０２は、操作パネル部１０１から電話番号と当該電話が設置されている位置情報の入力を受け付けて、これらを記憶する。また、モード制御部１１０から現在位置記憶部１１１が記憶している位置情報を読み出して、受け付ける。
【００７３】
スピーカ部１０３は、携帯電話機１のユーザに対して、様々な音声出力を実行する機能
ブロックであって、特に、呼び出し音の出力を行う機能ブロックである。スピーカ部１０３は、モード制御部１１０からの指示を受け付けて、動作する。
【００７４】
ＬＥＤ点灯部１０４は、携帯電話機１のユーザに対して、ＬＥＤを点滅させることによって、新たな着信を報知したりする機能ブロックである。ＬＥＤ点灯部１０４は、モード制御部１１０からの指示を受け付けて、動作する。
【００７５】
バイブレータ部１０５は、携帯電話機１のユーザに対して、携帯電話機１そのものを振動させることによって、新たな着信を報知したりする機能ブロックである。バイブレータ部１０５は、モード制御部１１０からの指示を受け付けて、動作する。
【００７６】
発呼番号特定部１０６は、着呼時に、その呼の発信元の電話機の電話番号を特定する機能ブロックである。発呼番号特定部１０６は、着呼時に動作を開始し、特定した電話番号を、呼び出し時間計時部１０７やモード制御部１１０に通知する。
【００７７】
呼び出し時間計時部１０７は、着呼時に、その呼に係る呼び出し時間を計時する機能ブロックである。呼び出し時間計時部１０７は、発呼番号特定部１０６から通知を受けてから、呼び出しが終了するまでの時間を計時する。呼び出し時間計時部１０７は、計時して得た呼び出し時間をモード制御部１１０に通知する。
【００７８】
呼び出し回数記憶部１０８は、電話番号／位置情報記憶部１０２に記憶されている電話番号に係る電話機を発信元とする呼び出しの回数を記憶する機能ブロックである。呼び出し回数記憶部１０８は、モード制御部１１０からの指示を受け付けて、発信元の電話番号ごとに呼び出し回数を記憶する。また、呼び出し回数記憶部１０８は、モード制御部１１０から呼び出し回数の読み出しを受け付ける。
【００７９】
モード記憶部１０９は、携帯電話機１の現在の動作モードを記憶する機能ブロックである。モード記憶部１０９はモード制御部１１０から指示を受け付けて、携帯電話機１の現在の動作モードを記憶する。モード記憶部１０９は、携帯電話機１の現在の動作モードの読み出しを、操作パネル部１０１とモード制御部１１０とから受け付ける。なお、モード記憶部１０９は、所定距離（デフォルトとして５０ｍであるが、ユーザの操作により所望の距離とすることができる）を記憶し、現在位置と比較位置との離間距離が所定距離よりも大きいか否かの判断の基準値となる。
【００８０】
モード記憶部１０９が記憶する動作モードは次の３種類である。すなわち、モード記憶部１０９は、携帯電話機１が通常モード、マナーモード又は保護モードのいずれの動作モードにあるかを記憶する。
【００８１】
通常モードは、着呼時に、携帯電話機１のユーザに対して、通常の呼び出しを実行する動作モードである。マナーモードは、着呼時に、携帯電話機１のユーザに対して、呼び出しを実行しない動作モードである。
【００８２】
また、保護モードとは、携帯電話機１のユーザが操作パネル部１０１に対して何らかの操作を行った場合に、暗証番号を要求して、認証に成功したときのみ、ユーザに携帯電話機１の操作を許すという動作モードである。
【００８３】
モード制御部１１０は、マナーモードを遠隔操作にて解除する際の諸動作を統括する機能ブロックである。モード制御部１１０は、表示部１００、操作パネル部１０１、電話番号／位置情報記憶部１０２、スピーカ部１０３、ＬＥＤ点灯部１０４、バイブレータ部１０５、発呼番号特定部１０６、呼び出し時間計時部１０７、呼び出し回数記憶部１０８、および、モード記憶部１０９と協調して、マナーモードの遠隔解除を実行する。なお、モード制御部１１０は、現在位置と比較位置との離間距離を算出し、マナーモードに設定されている状態でマナーモードを解除させる着信を検出した場合には、離間距離がモード記憶部１０９が記憶する所定距離より大きいときには、リンガーによる呼出音を発生させない。その一方、離間距離が所定距離より小さいときには、リンガーによる呼出音を発生させることにより、比較的近距離に居るユーザに携帯電話機１の所在を通知する。なお、現在位置及び比較位置はＸＹ座標値で与えられており、Ｘ座標の差の二乗とＹ座標の差の二乗とを計算することにより離間距離は容易に算出される。
【００８４】
現在位置記憶部１１１は、複数のＧＰＳ衛星から受信した電波に基づいて、ＧＰＳ受信部２７が計算した携帯電話機１の現在位置を記憶している。なお、基地局から携帯電話機１の現在位置情報を受信する場合もある。
【００８５】
［２］  携帯電話機の動作
つぎに、上述のように構成された本発明に係る携帯電話機のマナーモード解除動作について詳細に説明する。
【００８６】
まず、携帯電話機１のユーザが終了／電源キー７を操作して電源をＯＮにすると、制御部２０はＲＯＭ２０ａから制御プログラムを読み込んで必要な初期設定を行った後、基地局（図示せず）と所定の通信手順で信号を送受信して位置登録を行って、待ち受け状態に入る。この状態で、開閉式通信端末装置１は発着信が可能となる。また、撮影した人物画像と電話帳に登録された電話番号や相手の名前とを対応付けて記憶しているので、呼び出す相手の発呼先番号または呼び出した相手の電話番号とが一致した場合、相手の名前と共に、対応する人物画像をメインディスプレイ２やサブディスプレイ１８に表示して、直ちに通話相手を知ることができる。
【００８７】
［２−１］  電話番号及び位置情報の設定動作について
つぎに、携帯電話機１がマナーモードとなっている場合に、遠隔からこの設定を解除するために用いる電話機などの電話番号及び位置情報を、携帯電話機１に設定する処理について説明する。図４は、携帯電話機１が電話番号及び位置情報の設定を受け付ける際に実行する処理の流れを示すフローチャートである。
【００８８】
図４に示されるように、携帯電話機１は、遠隔操作によってマナーモードを解除することを許す電話機の電話番号及び位置情報の設定を、操作パネル部１０１からの入力と現在位置記憶部１１１からの出力にて受け付ける。
【００８９】
先ず、携帯電話機１は、ユーザが操作パネル部１０１を操作すると、表示部１００にメニュー画面を表示する（ステップＳ１００）。携帯電話機１のユーザは、当該メニュー画面において所望のメニューを選択して、各種パラメータの設定や変更等を実行する。
【００９０】
さて、携帯電話機１は、操作パネル部１０１が操作され、電話番号及び位置情報の設定メニューが選択されると（ステップＳ１０１：ＹＥＳ）、ユーザに電話番号を入力させるための入力画面を表示する（ステップＳ１０２）。
【００９１】
携帯電話機１は、当該入力画面において、電話番号の入力と現在位置記憶部１１１から位置情報の取得が完了したか否かを監視し、完了していなければ（ステップＳ１０３：ＮＯ）、電話番号の入力が完了したか否かの監視を更に継続する。一方、それらの入力と取得が完了したことを確認したら（ステップＳ１０３：ＹＥＳ）、携帯電話機１は、入力された電話番号と取得した位置情報を電話番号／位置情報記憶部１０２に記憶して（ステップＳ１０４）、処理を終了する。
【００９２】
なお、モード制御部１１０は、電話番号が入力された後、ユーザの操作パネル部１０１の操作によりＧＰＳ受信部２７に指令を出し、複数のＧＰＳ衛星から受信した電波に含まれる位置情報（時間差又は位相差など）に基づいて現在位置を計算させ、現在位置記憶部１１１に記憶させるとともに、最新の携帯電話機１の現在位置情報を読み出して、電話番号／位置情報記憶部１０２に記憶させている。但し、この現在位置の計算は、ＡＵ（登録商標）が実施しているように、携帯電話機１が取得したＧＰＳ衛星からの電波に含まれる位置情報を基地局側に送信し、膨大なデータベースと計算処理能力を持つネットワーク側の位置検出サーバで行い、携帯電話機１は、計算された現在位置情報を基地局から受信するようにしてもよい。このようにすれば、携帯電話機１に余分な機能を付加する必要がないので、装置自身が安価になる。
【００９３】
他方、ステップＳ１０１において、前記メニュー画面にて、電話番号の設定以外のメニューが選択された場合には（ステップＳ１０１：ＮＯ）、携帯電話機１は、選択されたメニューに応じた処理を実行して（ステップＳ１０５）、処理を終了する。なお、ステップＳ１０５の処理については、本発明と関係しないので説明を省略する。
【００９４】
［２−２］  マナーモードの遠隔解除について
次に、携帯電話機１がマナーモードに設定されている場合に、これを遠隔操作で解除するときの携帯電話機１の動作について説明する。
【００９５】
本実施の形態においては、電話番号／位置情報記憶部１０２に記憶されている同一の電話番号又はマナーモード解除用のメール中に記載されている電話番号から、呼び出し時間が５秒以内である呼び出しが続けて５回あった後に、当該電話番号から呼び出し時間が２５秒以上である着呼が１回あった場合にマナーモードを解除する例について説明する。
【００９６】
図５は、携帯電話機１が遠隔操作によってマナーモードを解除される際に実行する処理の流れを示すフローチャートである。
【００９７】
先ず、携帯電話機１を紛失したユーザが他人の携帯電話機を借りて、携帯電話機１にマナーモード解除用のメールを送信したと仮定する。なお、このマナーモード解除用メールを送信する場合、当該他人の携帯電話機を操作してマナーモード解除メール作成モードに入ると、携帯電話機１のメールアドレス入力画面となり、操作部２３を操作して直接メールアドレスを入力する。一方、電話帳を用いて携帯電話機１のメールアドレスを呼び出すことにより入力することも可能である。このメールアドレスの入力操作が終了し、送信指示があると、現在位置記憶部１１１が記憶する現在位置のデータ及び自己の電話番号を記録したマナーモード解除用メールを、携帯電話機１のメールアドレスに対して送信する。
【００９８】
携帯電話機１は、当該他人の携帯電話機からマナーモード解除用メールを受信するとともに、待ちうけ状態において着信があったか否かを確認する。この確認の結果、着信が無かった場合には（ステップＳ２００：ＮＯ）、携帯電話機１は、着信があったか否かの確認を継続する。
【００９９】
その一方、確認の結果、着信があったと判定された場合には（ステップＳ２００：ＹＥＳ）、携帯電話機１は、その着信が、前述の電話番号／位置情報記憶部１０２に記憶されている複数の電話番号のうちの一つから発呼されたものであるか否かを確認する。また、この確認に加えて、予め受信した電子メール中に、マナーモード解除用のメールの有無を検索し、その中に記載されている電話番号からの着信であるか否かを確認する。
【０１００】
この確認の結果、前記の着呼が、前述の電話番号／位置情報記憶部１０２に記憶されている電話番号のうちのいずれかから発呼されたものではないと判定された場合、又はマナーモード解除用メール中の電話番号ではないと判定された場合には（ステップＳ２０１：ＮＯ）、携帯電話機１は、着信があったか否かの確認を継続する。
【０１０１】
一方、前述の確認の結果、前記の着信が、前述の電話番号／位置情報記憶部１０２に記憶されている電話番号のうちのいずれかから発呼されたものであると判定された場合、又はマナーモード解除用メール中の電話番号であると判定された場合には（ステップＳ２０１：ＹＥＳ）、携帯電話機１は、当該着信に係る発呼をした電話機の電話番号について呼び出し回数が５回以上であるか否かを確認する。
【０１０２】
そして、当該呼び出し回数が５回に満たないと判定された場合には（ステップＳ２０２：ＮＯ）、携帯電話機１は、当該着信に係る呼び出し時間が５秒以下であるか否かを確認する。
【０１０３】
そして、当該着呼に係る呼び出し時間が５秒以下でないと判定された場合には（ステップＳ２０３：ＮＯ）、携帯電話機１は、当該着信に係る電話番号に対応する呼び出し回数を０回とする（ステップＳ２０６）。そして、携帯電話機１は、０回とした前記呼び出し回数を、前記呼び出し回数記憶部１０８にて記憶した後（ステップＳ２０５）、上述の処理を繰り返す。
【０１０４】
一方、前記の確認の結果、前記着信に係る呼び出し時間が５秒以下であると判定された場合には（ステップＳ２０３：ＹＥＳ）、携帯電話機１は、当該着呼に係る電話番号に対応する呼び出し回数を１つだけ増加させる（ステップＳ２０４）。そして、携帯電話機１は、１つだけ増加させた前記呼び出し回数を、前記呼び出し回数記憶部１０８にて記憶した後（ステップＳ２０５）、上述の処理を繰り返す。
【０１０５】
さて、ステップＳ２０２において、前記呼び出し回数が５回以上であると判定された場合には（ステップＳ２０２：ＹＥＳ）、携帯電話機１は、当該着信に係る呼び出し時間が２５秒以上であるか否かを確認する。
【０１０６】
そして、前記着呼に係る呼び出し時間が２５秒に満たないと判断された場合には（ステップＳ２０７：ＮＯ）、携帯電話機１は、当該着呼に係る電話番号に対応する呼び出し回数を０回とする（ステップＳ２０６）。そして、携帯電話機１は、０回とした前記呼び出し回数を、前記呼び出し回数記憶部１０８にて記憶した後（ステップＳ２０５）、上述の処理を繰り返す。
【０１０７】
一方、ステップＳ２０７において、前記着信に係る呼び出し時間が２５秒以上であると判断された場合、携帯電話機１は、電話番号／位置情報記憶部１０２から当該電話番号に対応して記憶する位置情報（即ち、比較位置）及び現在位置記憶部１１１が記憶する現在位置を読み出すとともに、現在位置と比較位置との離間距離を算出し、モード記憶部１０９が記憶する所定距離との大小比較を行う。なお、マナーモード解除用メール中の電話番号の場合には、当該メール中の位置情報を比較位置として、同様の計算及び大小比較を行う。
【０１０８】
この大小比較の結果、離間距離が所定距離より大きい場合には（ステップＳ２０７：ＮＯ）、ステップＳ２０６に移行する一方、離間距離が所定距離以下の場合には（ステップＳ２０７：ＹＥＳ）、携帯電話機１は、動作モードをマナーモードから保護モードに変更して、前記モード記憶部１０８に動作モードを記憶させる（ステップＳ２０８）。
【０１０９】
そして、携帯電話機１は、動作モードを変更した後、報知処理を実行する（ステップＳ２０９）。この報知処理により、携帯電話機１を紛失してしまった場合であっても、ユーザが近距離にいるときには、遠隔操作により鳴動、点滅させることができるので、携帯電話機１の発見を助けることができる。その一方、ユーザが発見する可能性のない遠距離にいるときには、無駄な報知処理が実行されないので、騒音の発生を防止し、更に他人に発見される危惧もない。
【０１１０】
［２−２−１］  報知処理（ステップＳ２０９）について
図６は、携帯電話機１が、その現在位置を報知するために実行する報知処理の流れを示すフローチャートである。これを用いて、ステップＳ２０９の報知処理について、更に詳細に説明する。
【０１１１】
図６に示したとおり、携帯電話機１は、報知処理（ステップＳ２０９）を開始すると、先ず最初に、前記スピーカ部１０３から発音する呼び出し音の音量を最小値に設定する（ステップＳ３００）。そして、携帯電話機１は、前記バイブレータ部１０５に指示してバイブレータを始動する（ステップＳ３０１）。
【０１１２】
そして、携帯電話機１は、前記スピーカ部１０３にて、設定された音量で呼び出し音を鳴らし（ステップＳ３０２）、ＬＥＤ点灯部１０４にて、ＬＥＤを点灯する（ステップＳ３０３）。この呼び出し音は、継続して鳴らし続けられる。また、ＬＥＤも点灯され続ける。
【０１１３】
その後、携帯電話機１は、呼び出し音の音量を設定してから所定の時間を経過したか否かを確認する。この確認の結果、呼び出し音の音量を設定してから所定の時間を経過したと判断された場合には（ステップＳ３０４：ＹＥＳ）、呼び出し音の音量が最大値に設定されているか否かを確認する。
【０１１４】
当該確認により、呼び出し音の音量が最大値には設定されていないと判断された場合には（ステップＳ３０５：ＮＯ）、呼び出し音の音量が１段階大きくなるように音量の設定を行い（ステップＳ３０６）、ＬＥＤ点灯部１０４にてＬＥＤを消灯する（ステップＳ３０７）。
【０１１５】
上述の確認によって、呼び出し音の音量を設定してから未だ所定の時間を経過していないと判断された場合には（ステップＳ３０４：ＮＯ）、携帯電話機１は、呼び出し音の音量の設定を変更することなく、ＬＥＤ点灯部１０４にてＬＥＤを消灯する（ステップＳ３０７）。
【０１１６】
また、上述の確認により、呼び出し音の音量が最大値に設定されていると判断された場合にも（ステップＳ３０５：ＮＯ）、携帯電話機１は、呼び出し音の音量の設定はそのままにしておいて、ＬＥＤ点灯部１０４にてＬＥＤを消灯する（ステップＳ３０７）。
【０１１７】
ＬＥＤを消灯した後、携帯電話機１は、保護モードが解除されたか否かを確認する。なお、保護モードの解除に係る携帯電話機１の処理ついては後述することとし、ここでは省略する。
【０１１８】
ステップＳ３０８において、保護モードが解除されていないと判定された場合には（ステップＳ３０８：ＮＯ）、携帯電話機１は、ステップＳ３０２に進んで、上述の処理を繰り返す。
【０１１９】
保護モードが解除されたと判定された場合には（ステップＳ３０８：ＹＥＳ）、携帯電話機１は、前記スピーカ部１０３にて呼び出し音を停止する（ステップＳ３０９）。そして、携帯電話機１は、前記バイブレータ部１０５にてバイブレータを停止した後（ステップＳ３１０）、動作モードを保護モードから通常モードへ遷移させると共に、これを前記モード記憶部１０９に記憶させて（ステップＳ３１１）、報知処理を終了する。
【０１２０】
［２−３］  保護モードの解除について
図７は、保護モードの解除に際して、携帯電話機１が実行する処理の流れを示すフローチャートである。
【０１２１】
上述のように、携帯電話機１は、保護モードが解除されると、ＬＥＤを消灯し、呼び出し音とバイブレータとを停止させて、通常モードに遷移する。この保護モードの解除に際して、携帯電話機１が実行する処理について説明する。
【０１２２】
図７に示したとおり、携帯電話機１は、その動作モードが保護モードである場合には、前記操作パネル部１０１にて、キー操作があったかどうかを監視している。
【０１２３】
そして、キー操作がなければ（ステップＳ４００：ＮＯ）、携帯電話機１は、引き続いて前記操作パネル部１０１にて、キー操作があったかどうか監視する。
【０１２４】
前述の監視の結果、キー操作が有ったと判定された場合には（ステップＳ４００：ＹＥＳ）、携帯電話機１は、前記表示部１００にて、ユーザに暗証番号の入力を促す表示を行う（ステップＳ４０１）。そして、この表示に応じて、操作パネル部１０１にて、ユーザが暗証番号を入力したか否かを監視する。
【０１２５】
そして、携帯電話機１のユーザが暗証番号を未だ入力していないと判定された場合には（ステップＳ４０２：ＮＯ）、携帯電話機１は、そのユーザに暗証番号の入力を促す表示を行ってからの経過時間を測時する。
【０１２６】
そして、暗証番号の入力を促す表示を行ってからの経過時間が所定の時間を上回っていると判定された場合には（ステップＳ４０３：ＹＥＳ）、携帯電話機１は、暗証番号の入力を促す表示を消去して（ステップＳ４０４）、再びキー操作の有無を監視する。
【０１２７】
暗証番号の入力を促す表示を行ってから未だ所定の時間を経過していないと判定された場合には（ステップＳ４０３：ＮＯ）、携帯電話機１は、そのユーザから暗証番号を受け付けたか否かの監視を継続して実行する。
【０１２８】
前述の監視の結果、ユーザから暗証番号を受け付けたと判定された場合には（ステップＳ４０２：ＹＥＳ）、ユーザから受け付けた暗証番号と、携帯電話機１に予め登録されている暗証番号とを照合する（ステップＳ４０５）。
【０１２９】
暗証番号の照合が失敗した場合には（ステップＳ４０６：ＮＯ）、携帯電話機１は、前記表示部１００にて、暗証番号の照合が失敗した旨を表示する（ステップＳ４０７）。そして、携帯電話機１は、再び、携帯電話機１のユーザに対して暗証番号の入力を促す表示を行い、上述の処理を繰り返す。
【０１３０】
前述の暗証番号の照合が成功した場合には（ステップＳ４０６：ＹＥＳ）、携帯電話機１は、その動作モードを保護モードから通常モードへと遷移させた後（ステップＳ４０８）、処理を終了する。
【０１３１】
［４］  変形例
以上、本発明を実施の形態に基づいて説明してきたが、本発明が上述の実施の形態に限定されないのは勿論であり、以下のような変形例を実施することができる。
【０１３２】
（１）  上記実施の形態においては、遠隔操作によってマナーモードを解除すると、携帯電話機１の動作モードが保護モードに遷移する場合を例にとって本発明に係る携帯電話機等の説明を行ったが、本発明がこれに限定されないのは言うまでもなく、上記に代えて次のようにするとしても良い。
【０１３３】
すなわち、遠隔操作によってマナーモードを解除された場合に、携帯電話機の動作モードを保護モードとせずに、通常モードに遷移するとしても良い。このようにすれば、マナーモードが解除されるべきでない場合にはより解除され難く、マナーモードを解除したい場合にはより解除し易いという本発明の目的を達成しながら、かつ、紛失した携帯電話機を発見した場合に、暗証番号を入力するといった手間を要することなく、当該携帯電話機を使用することができる。
【０１３４】
（２）  上記実施の形態においては、遠隔操作によってマナーモードを解除して、携帯電話機の動作モードを保護モードとするとともに、ＬＥＤを点滅させ、呼び出し音を発生させ、バイブレータを振動させるとしたが、これに代えて次のようにしても良い。
【０１３５】
すなわち、遠隔操作によってマナーモードを解除する場合には、携帯電話機の動作モードを保護モードとするだけに留めて、ＬＥＤの点滅、呼び出し音の発生、およびバイブレータの振動は行わないものとしても良い。
【０１３６】
一旦、携帯電話機のマナーモードを解除した後は、いずれの電話番号の電話機から当該携帯電話機に電話をかけても、呼び出し音の発生やＬＥＤの点滅、或いはバイブレータの振動が行われる。従って、マナーモードを解除する際に、併せて、これらの動作を行わないとしても、上述と同様に、本発明の効果を得ることができる。
【０１３７】
（３）  上記実施の形態においては、所定の電話番号の電話機から電話をかけることによって、携帯電話機のマナーモードを解除するとしたが、この電話機は通常の電話機であっても良いし、携帯電話機であっても良い。
【０１３８】
また、電話機以外の装置によってマナーモードを解除するとしても良い。すなわち、赤外線通信やＢｌｕｅｔｏｏｔｈ（登録商標）などの無線通信技術を用いてマナーモードを解除するとしても良い。この場合において、マナーモードを解除した後、携帯電話機の動作モードを保護モードとしても良いし、通常モードとしても良い。
【０１３９】
また、マナーモードを解除した後、ＬＥＤを点滅させたり、呼び出し音を発生させたり、或いは、バイブレータを振動させるとしても良いし、これらの処理を行うことなく、携帯電話機の動作モードを保護モードとするだけでも良い。
【０１４０】
（４）  上記実施の形態においては、所定の電話番号の電話機から電話をかけること
によって、携帯電話機のマナーモードを解除するとし、マナーモードを解除した後、動作モードを保護モードとしたり、或いは、ＬＥＤの点滅などの処理を実行するとしたが、ただ単に、マナーモードを解除して、携帯電話機の動作モードを通常モードとするとしても良い。
【０１４１】
このようにしても、マナーモードを解除した後に、他の電話機から当該携帯電話機に電話をかけることによって、当該携帯電話機のＬＥＤを点滅させたり、呼び出し音を発生させたりして、紛失した携帯電話機の発見を助けることができる。
【０１４２】
また、この場合においても、携帯電話機の利用者の意図に反して、本来携帯電話機がマナーモードであるべき場合にマナーモードが解除されたり、紛失した携帯電話機のマナーモードの解除に手間取ったりすることを防止することができる。
【０１４３】
（５）  上記実施の形態においては、携帯電話機の動作モードが保護モードとなっている場合に、暗証番号を入力することによって保護モードを解除するとしたが、これに代えて、暗証番号を照合する方法以外の方法を用いて保護モードを解除するとしても良い。
【０１４４】
例えば、バイオメトリクス技術を用いて、指紋や声紋、虹彩パターン等のバイオメトリクス・データによって本人認証を行うものとして、本人認証が成功したら保護モードを解除するとしても良い。保護モードの解除の仕方の如何に関わらず本発明の効果を得ることができる。
【０１４５】
（６）  上記実施の形態においては、所定の電話番号から、呼び出し時間が５秒以内である着呼が続けて５回あった後に、当該電話番号から呼び出し時間が２５秒以上である着呼が１回あった場合にマナーモードを解除する例について説明したが、本発明がこれに限定されないのは言うまでもなく、異なる着呼パターンにてマナーモードを解除することとしても良い。
【０１４６】
また、マナーモードを解除するための着呼パターンは、発呼した電話番号ごとに異なっているとしても良い。
【０１４７】
また、本発明においては、どのような着呼パターンであれ、呼び出し時間が異なる着呼が複数含まれていれば、なお好適である。前述の従来技術においては、呼び出し時間を同じくする着呼の回数に応じてマナーモードを解除するとしていた。
【０１４８】
このために、当該従来技術において呼び出し時間を短くすると、携帯電話機が本来マナーモードであるべき場合にも関わらずマナーモードを解除されてしまう可能性が高くなるという不都合を生じる。
【０１４９】
また、当該従来技術において、呼び出し時間を長くすると、マナーモードが不必要に解除されてしまう可能性を低減することはできるのだが、携帯電話機のマナーモードを解除するための手間が過大となって、紛失した携帯電話機の発見が煩わしいものとなってしまう。
【０１５０】
これに対して、本発明のように、呼び出し時間が異なる着呼を複数含んでいる着呼パターンによってマナーモードを解除するとすれば、マナーモードが不必要に解除されてしまう可能性を低減し、かつ、必要時にマナーモードを解除するための手間をも低減することができる。
【０１５１】
（７）  上記実施の形態においては、本発明を説明するに際して、もっぱら携帯電話
機を例とする場合を取り上げたが、本発明がこれに限定されないのは言うまでもなく、本発明は、携帯電話機が実行するマナーモード解除方法であるとしても良いし、また、当該マナーモードを携帯電話機に実行させるマナーモード解除プログラムであるとしても良い。
【０１５２】
更に、本発明は、当該マナーモード解除プログラムを格納した記録媒体であって、コンピュータにて読取可能な記録媒体であるとしても良い。いずれの場合においても、本発明を実施することによって、上述のような効果を奏することができる。
【産業上の利用可能性】
【０１５３】
本実施の形態によれば、その動作モードをマナーモードに設定されている携帯電話機１を紛失した場合であっても、ユーザが近距離にいるときには、携帯電話機１に所定の方法に従って電話をかけることによって、携帯電話機１の動作モードをマナーモードから保護モードに遷移させるとともに、ＬＥＤを点滅させ、音量を増大させながら呼び出し音を鳴らし、更に、バイブレータを用いて携帯電話機１を振動させるので、紛失した携帯電話機１の発見を容易にすることができる。その一方、ユーザが発見する可能性のない遠距離にいるときには、無駄な報知処理が実行されないので、騒音の発生を防止し、更に他人に発見される危惧もない。
【０１５４】
また、本実施の形態によれば、特定の電話機のみから所定の方法に従って電話をかけることによって、動作モードの遷移等の処理を携帯電話機１に実行させるので、本来マナーモードが解除されるべきでないような場合に、不特定の電話機から電話がかかることによって、マナーモードが解除され、呼び出し音が鳴らされる等の処理が実行されるといった不都合を回避することができる。
【０１５５】
また、本実施の形態によれば、上記と同じく、特定の電話機のみから所定の方法に従って電話をかけることによって、動作モードの遷移等の処理を携帯電話機１に実行させるので、その動作モードがマナーモードに設定されている携帯電話機１を紛失した場合に、従来よりも容易にマナーモードを解除して、呼び出し音が鳴らされる等の処理を実行させることができる。
【０１５６】
また、本実施の形態によれば、特定の電話機のみから所定の方法に従って電話をかけることによって、携帯電話機１の動作モードがマナーモードに設定されているのを解除した後に、その動作モードを保護モードとするので、携帯電話機１の正当な利用者に先んじて当該正当な利用者以外の者が携帯電話機１を見つけた場合であっても、当該正当な利用者以外の者によって携帯電話機１が不正に利用されることを防止することができる。
【０１５７】
以上を要約すると、本発明に係る移動通信装置、移動通信システム、着信呼出方法及びプログラムは、ユーザが近くに居る場合、紛失した携帯電話機を発見し易くするための技術として有用であり、特に、マナーモードに設定されている携帯電話機がその利用者の意図に反してマナーモードを解除されるのを防止する場合、かつ、マナーモードに設定されている携帯電話機を紛失して、これを発見するために携帯電話機を鳴動等させるために行う遠隔操作をより簡便なものとする場合、大変有効である。
【図面の簡単な説明】
【０１５８】
【図１】本発明に係る携帯電話機の開いた状態の外観図である。
【図２】本発明に係る携帯電話機の構成を示すブロック図である。
【図３】本発明の実施の形態に係る携帯電話機の機能構成を示す模式図であって、特に、マナーモードの設定と解除とに関連する部分に注目したものである。
【図４】本発明の実施の形態に係る携帯電話機が、電話番号の設定を受け付ける際に実行する処理の流れを示すフローチャートである。
【図５】本発明の実施の形態に係る携帯電話機が、遠隔操作によってマナーモードを解除される際に実行する処理の流れを示すフローチャートである。
【図６】本発明の実施の形態に係る携帯電話機１が、その現在位置を報知するために実行する報知処理の流れを示すフローチャートである。
【図７】本発明の実施の形態に係る携帯電話機１が、保護モードの解除に際して実行する処理の流れを示すフローチャートである。
【符号の説明】
【０１５９】
１………携帯電話機
１００…表示部
１０１…操作パネル部
１０２…電話番号／位置情報記憶部
１０３…スピーカ部
１０４…ＬＥＤ点灯部
１０５…バイブレータ部
１０６…発呼番号特定部
１０７…呼び出し時間計時部
１０８…呼び出し回数記憶部
１０９…モード記憶部
１１０…モード制御部
１１１…現在位置記憶部
【図１】
2005057711.tif 000003
【図２】
2005057711.tif 000004
【図３】
2005057711.tif 000005
【図４】
2005057711.tif 000006
【図５】
2005057711.tif 000007
【図６】
2005057711.tif 000008
【図７】
2005057711.tif 000009